(57)【要約】【課題】トリガ信号により誘引されるノイズの発生を抑制し、カメラの確実な動作を保証したカメラを提供すること。【解決手段】トリガ回路が実装された基板１７４の中にあるトリガコイル１７４ａに鍔付きの絶縁性のキャップ１７５を被せる。基板１７４表面に導電部が露出される部分とリード線１７４２ａとの間に鍔１７５ａ，１７５ｂを介在させ、リード線から伝播されるノイズの発生を抑制する。【選択図】    図３
2004294792.tif 000002
【特許請求の範囲】
【請求項１】
被写体の撮影を行なうカメラにおいて、
撮影に同期して閃光を発する閃光発光装置を備え、
前記閃光発光装置が、
電力の供給を受けて閃光を発する発光管と、
トリガコイルを備え、該トリガコイルおよび該トリガコイルと前記発光管とを繋ぐリード線を介して前記発光管を励起させるためのトリガ信号を前記発光管に供給するトリガ回路が実装された基板と、
前記リード線を載せることにより該リード線と前記基板との間に介在する鍔部を有する、前記トリガコイルに被せられた絶縁性のキャップとを備えたことを特徴とするカメラ。
【請求項２】
このカメラは、焦点距離可変なものであって、
焦点距離を変更する操作子と、
前記発光管を前後方向に焦点距離に応じて移動させる移動機構とを備えたことを特徴とする請求項１記載のカメラ。
【請求項３】
前記発光管は導電材料が塗布されたものであり、該発光管の後部に該発光管に接して配備され、該発光管から発せられた閃光を反射する導電性のリフレクタを備え、前記リード線は、該リフレクタに接続され、前記トリガ信号は該リフレクタを介して前記発光管に供給されるものであることを特徴とする請求項１記載のカメラ。
【発明の詳細な説明】
【０００１】
【発明の属する技術分野】
本発明は、撮影に同期して閃光を発する閃光発光装置を備え、被写体の撮影を行なうカメラに関する。
【０００２】
【従来の技術】
カメラなどにはメインコンデンサに充電しそのメインコンデンサに充電された電力を放電して閃光を発する閃光発光装置が備えられたものがある。この閃光発光装置には発光管が配備されており、その発光管にメインコンデンサに蓄えられた電力が放電されてその発光管から閃光が発せられる。この発光管としてキセノン管と呼ばれるものが用いられることが多い。このキセノン管を発光管として用いる場合にはキセノン管にトリガ信号を供給してこのトリガ信号によりキセノン管を発光可能な状態に励起させた後、メインコンデンサからキセノン管に電力を供給し、閃光を発光させる。このトリガ信号は高電圧であるため、トリガコイルとキセノン管とを繋ぐリード線をなるべく短くしてノイズの発生を抑制しなければならない。したがってキセノン管近傍にこのキセノン管にトリガ信号を供給するためのトリガ回路が実装された基板が配備され、その基板に実装されたトリガコイルとキセノン管とが短く太いリード線によって接続される。
【０００３】
しかしリード線を太く短くしても、高電圧の信号がトリガ信号となってキセノン管に供給されると、トリガ回路が実装されている基板のうち、導電部が露出されているパターンを経由して他の回路にまでリード線からのノイズが伝達されることがある。このノイズの伝達によりＣＰＵ廻りに誤動作が誘引され、カメラの動作が不確実になることがある。
【０００４】
このような問題に対応するため、トリガコイルをプリント配線基板に実装して、リード線を用いずに、トリガコイルと発光管とを接続する技術が開示されている（例えば特許文献１参照）。しかし、このようなプリント配線基板にトリガコイルを実装すると、プリント配線基板を保持する構造が必要になるとともに、トリガコイルが実装されるプリント配線基板とは別にトリガ回路を設けなければならない。
【０００５】
また、発光管とリフレクタからなる発光部を一体的に移動するズームストロボに適用しようとすると、トリガーコイルまで含めて移動させることになり、スペースが多く必要となってしまう。
【０００６】
【特許文献１】
特開平２００１−４２３９５号公報
【０００７】
【発明が解決しようとする課題】
本発明は、上記事情に鑑み、リード線でトリガ回路と発光管とを接続することを前提として、このリード線によりトリガ回路から発光管にトリガ信号が供給されたときに発生するノイズを抑制し、カメラの確実な動作を保証したカメラを提供することを目的とする。
【０００８】
【課題を解決するための手段】
上記目的を達成する本発明のカメラは、被写体の撮影を行なうカメラにおいて、
撮影に同期して閃光を発する閃光発光装置を備え、
上記閃光発光装置が、
電力の供給を受けて閃光を発する発光管と、
トリガコイルを備え、そのトリガコイルおよびそのトリガコイルと上記発光管とを繋ぐリード線を介して上記発光管を励起させるためのトリガ信号を上記発光管に供給するトリガ回路が実装された基板と、
上記リード線を載せることによりそのリード線と上記基板との間に介在する鍔部を有する、上記トリガコイルに被せられた絶縁性のキャップとを備えたことを特徴とする。
【０００９】
上記本発明のカメラによれば上記リード線でトリガ信号が上記発光管に供給されたときに、絶縁性のキャップを上記リード線と上記基板との間に介在させることよって、そのリード線から基板側へ伝播されるノイズの伝達を遮断することができる。
【００１０】
このカメラは、焦点距離可変なものであって、
焦点距離を変更する操作子と、
上記発光管を前後方向に焦点距離に応じて移動させる移動機構を備えたことを特徴とする。
【００１１】
このように焦点距離に応じて発光管が上記移動機構により移動すると、リード線が撓み、ノイズの発生が促進されることがある。上記絶縁性キャップに載せてリード線を配設しておくと、リード線の配線を行なう上で上記キャップの鍔部がガイドとして機能してリード線が撓むことが規制され、基板とリード線との間の絶縁性が確実に保たれる。
【００１２】
上記発光管は導電材料が塗布されたものであり、その発光管の後部にその発光管に接して配備され、その発光管から発せられた閃光を反射する導電性のリフレクタを備え、上記リード線は、そのリフレクタに接続され、上記トリガ信号はそのリフレクタを介して上記発光管に供給されるものであることが好ましい。
【００１３】
このようにリフレクタに直接リード線が接続されると、リフレクタを通して発光管に繋ぐリード線が省かれ、リフレクタが電極となって発光管に高電圧が伝えられるので、ノイズの発生がより一層抑制されるという効果がある。
【００１４】
【発明の実施の形態】
以下、本発明の実施形態について説明する。
【００１５】
図１は本実施形態のカメラの外観を示す構成斜視図である。
【００１６】
図１は、本発明のカメラの一実施形態を前面斜め上から見た外観斜視図である。
【００１７】
このカメラ１は、ロール状の写真フイルムに写真撮影を行なうカメラであり、図１に示すカメラ１の前面中央部には、光学ズームレンズ１１ａを内部に備えたズーム鏡胴１１が備えられている。
【００１８】
また、このカメラ１の前面上部には、リモコン受信部を構成するリモコン受信窓１２と、オートフォーカス（ＡＦ）用の発光素子およびその発光素子から投光され被写体で反射して戻ってきた光を受光する受光素子が内蔵されたＡＦ窓１３が備えられている。
【００１９】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期して閃光（閃光）を発する閃光発光部１７とが備えられている。この閃光発光部１７は、ズーム鏡胴１１に備えられた光学ズームレンズ１１ａの焦点距離に応じるとともに、撮影距離にも応じて、閃光発光光の被写体への照射角度が変更される構造を有する。この構造については後述する。
【００２０】
また、このカメラ１の上面には、シャッタボタン１８が備えられており、このカメラ１のシャッタボタン１８により操作されるシャッタには、撮影時に開口径が時間経過にしたがって広がるプログラムシャッタが採用されている。さらに、カメラ１の側面には、裏蓋開放つまみ１９が備えられている。
【００２１】
図２は、図１のカメラを背面斜め上から見た外観斜視図である。
【００２２】
このカメラ１の背面には、裏蓋２０と、視度調節ダイヤル２１と、ファインダ接眼窓２２と、ピント合わせが完了したときに光を発するＡＦランプ２３と、電源ボタン２４とが備えられている。
【００２３】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。このズームボタンが操作されると、後述する閃光発光部の発光が移動して、前述した閃光発光光の照射角度が変更される。
【００２４】
また、裏蓋２０には、液晶モニタ部２８が備えられている。この液晶モニタ部２８は、オート閃光や赤目軽減閃光等の閃光モードを表示するための閃光モード表示部２８ａと、セルフタイマの有無やリモコンの有無等を表示するためのセルフタイマモード表示部２８ｂと、オートフォーカスやマクロ等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２５】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２６】
図３は閃光発光部１７の構成を示す図で、図３（ａ）は図１に示すＡ−Ａに沿ってカメラボディを縦方向に切り、その切り取った面を横方向から見た図、図３（ｂ）は閃光発光部の内部を上から見た上面図、図３（ｃ）はトリガ回路が実装された基板を示す基板図である。
【００２７】
図３（ａ）、図３（ｂ）にはテレ側（遠距離側）あるいはワイド側（近距離側）に動作させるズームボタン２５の操作に応じて、テレ側あるいはワイド側に対応して移動する発光管１７１の位置が示されている。ここで、ズーム鏡胴１１に備えられた光学ズームレンズ１１ａの焦点距離に応じるとともに、撮影距離にも応じて、閃光発光光の被写体への照射角度が変更される構造を有する閃光発光部の構成を説明する。
【００２８】
図３（ａ）、図３（ｂ）に示すように、閃光発光部１７にはフレネルレンズ１７０と、発光管１７１と、その発光管１７１から発せられた閃光を反射させる導電性のリフレクタ１７２と、そのリフレクタ１７２を保持する保持部１７３と発光管１７１を励起させるためのトリガ信号を供給するトリガ回路が実装された基板１７４とが備えられている。フレネルレンズ１７０はカメラボディ１ａに設けられた窓１７０ａに嵌め込まれており、そのフレネルレンズ１７０の後方に所定の距離を隔てて、移動自在な保持部１７３に保持された発光管１７１が配備されている。この保持部１７３にはラックピニオン機構のラック１７３ｂが設けられており、カメラボディ側にあるギア１７６ｂが回転すると、前後に移動する。またこの保持部１７３には発光管１７１にトリガ信号を供給するためのリード線をガイドするガイド部１７３ａも設けられている。
【００２９】
レンズ鏡胴側にあるギア１７６ａがレンズ鏡胴の動きに応じて回転すると、このギア１７６ａの回転に同期してギア１７６ｂが回転してラック１７３ｂが設けられている保持部１７３が移動する。なお、このラック１７３ｂは保持部１７３に一体的に形成されており、保持部１７３の端部かつ底部に設けられている。このラック１７３ｂが光軸に平行に、基板１７４側に延びるように配設されているので、レンズ鏡胴１１の動きに応じてギア１７６ａが回転するとその回転がギア１７６ｂに伝えられ、ラック１７３ｂが設けられている保持部１７３が光軸方向に前後し、発光管１７１が前後する。ここでは、ズームボタン２５によってワイド側が選択されたときに、この保持部１７３をそのラックピニオン機構により移動させて発光管１７１をフレネルレンズ１７０近くに配置することが行われる。このようにフレネルレンズ１７０近くに発光管が配置されると、発光管１７１から発せられた閃光がフレネルレンズ１７０の周縁にまで照射され、フレネルレンズから閃光が出射するときには被写体に向けて照射される角度が拡げられて閃光が発っせられる。
【００３０】
またズームボタン２５によってテレ側が選択されたときには、保持部１７３をラックピニオン機構により移動させて、発光管１７１をフレネルレンズ１７０から遠ざかる位置に配置することが行われる。このようにフレネルレンズ１７０から離れた位置に発光管１７１が配置されると、発光管１７１から発せられた閃光が主にフレネルレンズ１７０の中央部に狭められ照射されてフレネルレンズ１７０から出射した閃光が遠くまで到達するように発せられる。図３（ａ）に示してあるのはズームボタン２５によってワイド側が選択されたときの配置で、ズームボタン２５によってテレ側が選択されると、点線部まで保持部とともに発光管１７１が移動する。
【００３１】
その移動自在の保持部１７３の後方にはトリガ回路が実装された基板１７４が配設されている。図３（ａ）に示すようにこの基板１７４にはトリガ回路を機能させるための部品が多数実装されており、その実装されている部品の中にトリガコイル１７４ａがある。
【００３２】
このように発光管１７１を保持している保持部１７３が光軸方向に前後するので基板１７４と発光管１７１の配線をうまく行なわないと、保持部１７３が前後するときに配線が絡み、配線の不具合が発生する。図３（ｃ）からも分かるように基板１７４には部品が実装されており、それら部品が基板１７４に実装されるところには部品を基板に半田付けするための導電部１７４１ｂが必ずある。この導電部１７４１ｂがトリガ信号を供給するリード線１７４２ａの近くにあると、その基板表面に露出された導電部１７４１ｂにリード線１７４２ａからノイズが伝播されてしまう。そこで、図３（ａ）に示すように、トリガコイル１７４ａに絶縁性のキャップ１７５を被せてその絶縁性のキャップの鍔１７５ａ、１７５ｂを、基板表面に露出された導電部１７４１ｂとリード線１７４２ａとの間に介在させることによってリード線１７４２ａと、その表面に露出された導電部１７４１ｂとの絶縁を図っている。図３（ｃ）に示すようにリード線が配線される経路には、その導電部１７４１ｂのほかに表面実装型の部品１７４ｃが基板１７４に半田で固定される部分１７４１ｃ、１７４１ｄがあるが、図３（ｂ）に示すようにそれらの部分との絶縁もキャップ１７５によって保たれている。
【００３３】
ここで図３（ａ）から一旦離れて図４を参照して絶縁性のキャップ１７５の構成を説明する。図４は絶縁性のキャップ１７５の構成を示す図である。
【００３４】
そこで、本実施形態のカメラ１では、図４に示す絶縁性のキャップ１７５を被せ、そのキャップ１７５の鍔部１７５ａ，１７５ｂを基板１７４とリード線１７４２ａの間に介在させ、リード線１７４２ａと基板１７４とをこのキャップ１７５の鍔部１７５ａ，１７５ｂによって絶縁することによってノイズを伝播させないようにしている。
【００３５】
図４に示すようにキャップ１７５は２個の鍔部１７５ａ，１７５ｂを有しており、それら鍔部１７５ａ，１７５ｂはリード線をガイドすることができるようにコの字状に形成されている。またこれら鍔部１７５ａ，１７５ｂが前述した基板１７４の導電部１７４１ｂ、１７４１ｃ、１７４１ｄをカバーするように設けられている。また、トリガコイル１７４ａから突出する電極部１７４１ａ（図３ｂ参照）にもこのキャップ１７５を被せられるように、このキャップ１７５はトリガコイル１７４ａの電極部１７４１ａの範囲もカバーすることができる形状になっている。そのトリガコイル１７４の電極部１７４１ａに対応する部分１７５ｄには、トリガコイル１７４ａの電極部１７４１ａからリード線１７４２ａを引き出すときにうまく引き出すことができるように切欠１７５１ｄが設けられている。このようにしておくと、トリガコイル１７４ａの電極１７４１ａからリード線１７４２ａをうまく引き出すことができ、その引き出されたリード線を鍔部１７５ａ，１７５ｂに載せることで導電部との絶縁を図ることができる。このようなキャップ１７５がトリガコイル１７４ａに被せられている。
【００３６】
図３に戻ってこのトリガコイル１７４ａから引き出されたリード線１７４２ａが発光管１７１にどのように接続されるかを説明する。
【００３７】
図３（ｂ）に示すようにトリガコイル１７４ａには電極１７４１ａが設けられており、その電極１７４１ａに半田付けされたリード線１７４２ａがキャップ１７５に設けられた切欠部１７５１ｄ（図４参照）から引き出されている。この引き出されたリード線１７４２ａがさらに絶縁性のキャップ１７５の鍔部１７５ａ，１７５ｂに載せられ、キャップ１７５の反対側まで這い回され、発光管１７１まで配線される。なお、この基板１７４にはカメラボディの中に配設されているメインコンデンサ（不図示）から引き出されているリード線も接続されているので、発光管の２つの電極から引き出されたリード線を基板のランドパターン１７４ｅ、１７４ｆそれぞれに接続すれば、メインコンデンサから電力が発光管１７１に供給されるようになっている。これらのリード線１７４２ｂ，１７４２ｃも配線経路に応じて鍔部１７６ｂに載せて配線されている。
【００３８】
図３（ａ）にはトリガ信号を供給するリード線１７４２ａが丸印で示されており、図３（ｂ）にはそのリード線１７４２ａに斜線を付してリード線の配線経路を示してある。
【００３９】
図３（ａ）、図３（ｂ）、図３（ｃ）からも分かるようにリード線１７４２ａを載せている鍔部１７５ａによって、基板１７４にある導電部１７４１ｂ、１７４１ｃ、１７４１ｄとリード線１７４２ａとが絶縁されている。
【００４０】
さらにキャップ１７５の鍔部に載せられて這い回されたリード線１７４２ａはさらに這い回されてリフレクタ１７２にまで至り、そのリード線１７４２ａの先端がリフレクタ１７２に半田で固定されている。本実施形態のカメラでは、発光管１７１に導電材料が塗布されたものが用いられており、その発光管１７１の後部にその発光管１７１に接してリフレクタ１７２が配備されているので、そのリフレクタ１７２にリード線１７４２ａが接続されれば、トリガ信号を発光管１７１に供給することができる。
【００４１】
このように絶縁性のキャップ１７５の鍔部１７５ａ，１７５ｂによってトリガコイル１７５の電極１７４１ａから引き出されたリード線１７４２ａと導電部との絶縁を保ちつつ、かつリード線１７４２ａの配線経路を定めるようにガイドして確実にリフレクタ１７２に接続している。
【００４２】
したがって、高電圧のトリガ信号が供給されても、リード線１７４２ａと基板表面に露出される導電部１７４１ｂ，１７４２ｃ，１７４２ｄ（図３（ｃ）参照）とが絶縁性のキャップ１７５の鍔部１７５ａ，１７５ｂにより絶縁されてノイズの伝播が抑制される。
【００４３】
以上説明したように、トリガ信号を供給するリード線と基板表面に露出される導電部とがキャップの鍔部によって絶縁されるので、ノイズの発生が抑制され、ＣＰＵが誤動作するといった不具合が改善される。その結果カメラの動作が確実に保証される。
【００４４】
また、３本のリード線の配線経路が絶縁性のキャップの鍔部によりガイドされて発光管に接続されるので、カメラボディ内の僅かなスペースにリード線を規則正しく配置することができるという効果も得られる。
【００４５】
【発明の効果】
以上、説明したように、本発明のカメラによれば、トリガ信号により誘引されるノイズの発生を抑制し、カメラの確実な動作を保証したカメラを提供することができる。
【図面の簡単な説明】
【図１】本発明のカメラの一実施形態を前面斜め上から見た外観斜視図である。
【図２】図１のカメラを背面斜め上から見た外観斜視図である。
【図３】図１の閃光発光部の内部構成を示す図である。
【図４】絶縁キャップの構成を示す図である。
【符号の説明】
１  カメラ
１１  ズーム鏡胴
１１ａ  光学ズームレンズ
１２  リモコン受信窓
１３  ＡＦ窓
１４  セルフタイマ／リモコンランプ
１５  ファインダ対物窓
１６  ＡＥ受光窓
１７  閃光発光部
１７０    フレネルレンズ
１７１    発光管
１７２    リフレクタ
１７３    保持部
１７３ａ    ガイド部
１７３ｂ    ラック部
１７４    基板
１７４ａ    トリガコイル
１７４１ａ    電極
１７４ｂ    部品
１７４１ｂ    導電部（部品のリード部）
１７４２ａ  １７４２ｂ  １７４２ｃ    リード線
１７５    絶縁性のキャップ
１７５ａ  １７５ｂ    鍔部
１７５ｄ    電極をカバーする部分
１７５１ｄ    切欠部
１７６ａ    ギア
１７６ｂ    ギア
１８  シャッタボタン
１９  裏蓋開放つまみ
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
【図１】
2004294792.tif 000003
【図２】
2004294792.tif 000004
【図３】
2004294792.tif 000005
【図４】
2004294792.tif 000006